(57)【特許請求の範囲】
【請求項１】
音声データと該音声データに付帯するデータが含まれる放送を受信する受信機であって、
前記音声データを出力する音声データ出力手段と、
前記音声データ出力手段からの出力に前記音声データに付帯する情報を時間軸多重して出力する手段と、
前記音声データに付帯する情報のデジタル信号が出力される時点を示すトリガ信号を出力するトリガ信号出力手段とを設けたことを特徴とする受信機。
【請求項２】
データを記録可能な記録機器であって、
音声データと該音声データに付帯された付帯データを入力する入力手段と、
前記音声データと該付帯データとのそれぞれの伝達先に切替える切替部と、
前記切替部の切替え時点を示すトリガ信号を入力するトリガ信号入力手段とを設けたことを特徴とする記録機器。
【発明の詳細な説明】
【０００１】
【発明の属する技術分野】
本発明は、デジタルデータの記録再生方式に係り、特にデジタル放送を媒体として配信されるデータの記録再生装置に関する。
【０００２】
【従来の技術】
最近のディジタル伝送技術などの発展に伴い、アナログ信号の伝送チャネル1チャネルで複数のディジタル化された番組が伝送できる、いわゆる放送のデジタル化が進められている。衛星を用いたデジタル放送については1995年9月21日に発表されたテレビジョン学会技術報告(vol.19.No.42)25頁から30頁の「CSデジタル放送方式の概要」や、日経エレクトロニクス1996年9月2日号149頁の論文「70近くの多チャネルを実現する日本初のディジタル衛星放送」に記載されている。
【０００３】
また、ケーブルテレビのデジタル伝送については、1995年9月21日に発表されたテレビジョン学会技術報告(vol.19.No.42)19頁から24頁の「電気通信技術審議会暫定方式ディジタル有線テレビジョン放送伝送実験」に示されている。これらの報告によれば、デジタル信号化された映像、音声信号をMPEG2（エムペグ２）と呼ばれる圧縮伸長技術によってデータ量を圧縮して伝送するため、アナログ１チャネル分の周波数帯域に数チャネル分のデータを多重して、効率的な伝送を行うことができる。この利点を活かして多様な放送サービスが考えられている。音楽放送等音声データの配信もその１つである。
【０００４】
一方、音楽情報の記録装置も、上記放送系に先んじてデジタル化が進んできた。記録媒体として磁性体テープを用いたDAT(デジタルオーディオテープレコーダ)、光ディスクを用いたCD(コンパクトディスク)、光磁気ディスクを用いたMD(ミニディスク)等が実用化されている。特に光磁気ディスク記録再生装置は、小型な形状と、ランダムアクセスを基本とした記録再生方式による記録、再生、編集の簡便さ、使い勝手の良さから、広く普及してきた。MDの記録再生法式については特開平5-325508号公報や、平成10年8月31日電波新聞社発行「MDのすべて」等に記載されている。
【０００５】
【発明が解決しようとする課題】
上記の技術において、デジタル放送受信機には音楽放送のデジタルデータを出力する、例えば光デジタル信号出力が設けられている場合があり、その場合には直接MD等のデジタル記録装置に入力し記録できる。従って、受信機でデジタル信号をアナログ信号に変換して出力し、記録装置でそのアナログ信号をデジタル信号に変換して記録する場合に比べ、信号品質の劣化が少ない記録が可能である。
【０００６】
音楽放送では、曲名や演奏者等の情報も番組内の情報として放送され、デジタル放送受信機では番組ガイド等に利用されている。しかしながら、これらの情報は従来のMDの記録方式においては、音楽データとは別の領域に記録されること、ユーザーがMDのキーを用いて入力することを前提に構成されていること、入力された情報は一旦メモリに蓄えられ音楽データの記録が終了し、電源を切る或いは記録媒体を取り出す際に記録媒体に記録されること等から、直接受信機からMDに出力することはできなかった。このため、音楽データを記録したユーザーは、記録した曲名等を記録後に、MDのキー操作で逐一入力する煩雑な作業が必要であった。
【０００７】
本発明の目的は、ユーザの煩雑な入力操作を低減するような使い勝手のよい受信機及び記録機器を提供することにある。
【０００８】
【課題を解決するための手段】
上記課題を解決するために、例えば、特許請求の範囲に開示された技術的思想を用いればよい。
【００１１】
【発明の実施の形態】
以下、本発明の実施の形態を図面を用いて説明する。図１は本発明の構成図である。同図において、１はデジタル放送受信機、２はMD、１０は放送受信用アンテナ、１１はチューナ、１２は復調部、１３は伝送路誤り訂正部、１４はスクランブル解除部、１５は多重分離部、１６はMPEGデコーダ、１７は音声信号処理部、１８は映像信号処理部、１９はシステム制御部、２０はデジタル音声データ出力、２１はアナログ音声信号出力、２２は映像信号出力、２３は付加情報出力、３０はデジタル音声データ入力、３１はアナログ音声入力、３２はアナログ音声出力、３３は付加情報入力、３４はサンプリングレート変換部、３５はADコンバータ、３６はDAコンバータ、３７はエンコーダ、３８はデコーダ、３９はメモリ制御部、４０はメモリ、４１はエンコーダ、４２はデコーダ、４３はアドレスデコーダ、４４はヘッド駆動部、４５は磁気ヘッド、４６はアンプ、４７はサーボ制御部、４８はディスク駆動部、４９は光ピックアップ、５０はシステム制御部、５１はキー入力、５２は表示部、である。
【００１２】
デジタル放送受信機１の基本的な構成を説明する。アンテナ１０で受信された信号の中から受信を希望するチャネルをチューナ１１で選局し、復調部１２で復調する。通信衛星を用いたデジタル衛星放送ではQPSK(Quadrature Phase Shift Keying：4相位相変調)が用いられているので、復調部１２にはQPSKの復調部を用いる。復調後、伝送路で発生したデータの誤りを誤り訂正部１３で訂正し、視聴契約に基づいてスクランブル解除部１４でスクランブルを解除し、１チャネルに多重された複数番組の中から希望する番組を多重分離部１５で抽出し、MPEGデコーダ１６で映像、音声データを復元し、音声信号は音声信号処理部１７で他の符号化に対する復号処理や、アナログ信号への変換等を行い、デジタル信号はデジタル信号出力２０から、アナログ信号に変換された信号はアナログ信号出力２１から出力する。
【００１３】
映像信号は映像信号処理部１８で、接続される受像機に適応したアナログ信号に変換して、映像信号出力２２から出力する。例えば、NTSC信号用テレビに対する出力は、映像信号処理部１８内にあって、デジタル映像データからNTSC信号に変換する、いわゆるNTSCエンコーダによって変換して出力する。各部の動作、連携はシステム制御部１９で制御する。
【００１４】
次にMD２の基本的な構成を説明する。入力は２系統で、デジタル音声データ入力３０とアナログ音声入力３１である。アナログ音声入力３１からの信号は、ADコンバータ３５でサンプリングすることによりデジタル信号に変換する。デジタル音声データ入力３０からの信号は、サンプリングレート変換部３４でMD２で使用するデータ周波数(サンプリング周波数)44.1kHzに変換する。サンプリング周波数は機器により異なり、例えばDATや衛星放送等では48kHzや32kHzが用いられているので、サンプリング周波数を変換する必要がある。デジタル音声データはエンコーダ３７に入力し、人間の聴覚特性上知覚できない部分のデータを削除する等のデータ圧縮を行う。その後メモリ制御部３９でデータの記録される領域の情報、記録日時などをメモリ４０に蓄える。
【００１５】
MDの記録再生方式ではUTOC(ユーザ・テーブル・オブ・コンテンツ)といわれる領域を用いて、記録したデータの情報を管理している。記録したデータの光磁気ディスク上のトラックのアドレス情報、ディスクの空きエリアのアドレス情報等の基本情報とともに、記録した各曲の曲名や演奏者名等が記録できる。光磁気ディスクへの記録再生に適したデータ変換、誤り訂正符号の付加等の処理をエンコーダ４１で行い、ヘッド駆動部４４を通して磁気ヘッド４５から光磁気ディスクに記録される。
【００１６】
再生は記録されているUTOC情報、アドレスデコーダ４３からの情報に基づきサーボ制御部４７と駆動部４８により位置制御した光ピックアップ４９で記録信号を読み取り、アンプ４６で増幅した後、エンコーダ４１に対するデコーダ４２で復号し、再生時に振動により再生が途切れるいわゆる音飛びが発生することを防ぐために、データを一時メモリ４０に蓄えておく等の処理をメモリ制御部３９で行い、エンコーダ３７に対するデコーダ３８で復号し、DAコンバータ３６を通してアナログ音声出力３２から出力する。全体の制御をシステム制御部５０で行う。キー入力５１はUTOC情報の書き込みや機器の操作用である。また、表示部５２にはUTOC情報や機器の状態等を表示する。
【００１７】
次に本発明に係る部分の構成を説明する。デジタル放送受信機１で音楽放送を受信する場合、曲名や演奏者等の付加情報も番組内の情報として放送され、デジタル放送受信機では番組ガイドに利用されている。この付加情報をデータとして出力する付加情報出力２３を設ける。また、MD２に上記付加情報をデータとして入力できる付加情報入力３３を設ける。同図に示したようにデジタル放送受信機１のデジタル音声データ出力２０とMD２のデジタル音声データ入力３０、及びデジタル放送受信機１の付加情報出力２３とMD２の付加情報入力３３を接続すると、デジタル音声データを記録できるとともに、付加情報も自動的にMD２に入力及び記録でき、従来のようにユーザが音楽データを記録した後にMD２のキー入力５１を用いて付加情報を入力する煩雑さが解消できる。
【００１８】
次に他の実施の形態を図２に示す。同図において図１に示した実施の形態と同一の機能を有する部分には同一の番号を付し説明を省略する。２４は付加情報用トリガ信号出力、５３は付加情報用トリガ信号入力、５４は切替部である。本実施の形態ではデジタル放送受信機１は付加情報をデジタル音声データに時間軸多重して出力する。すなわち音声データを出力した後連続して付加情報を出力し、その後引き続き音声データを出力する、ということを行う。ここでは、音楽放送の場合に付加情報が出力されるのは各曲が放送された直後とする。デジタル放送受信機１では各曲の終了に合せて付加情報用トリガ信号出力２４からトリガ信号を出力する。
【００１９】
MD２では付加情報用トリガ信号入力５３から入力されるこのトリガ信号を用いて、システム制御部５０により切替部５４の出力を切替え、付加情報をシステム制御部５０に取り込み、メモリ制御部３９を通して、記録された音声データとの関連を持った情報としてメモリ４０に蓄える。この情報を光磁気ディスクに記録する方法は先に述べた従来のMD方式と同様である。
【００２０】
このように本実施の形態においても、上記の実施の形態と同様に、デジタル音声データを記録できるとともに、付加情報も自動的にMD２に入力及び記録でき、従来のようにユーザが音楽データを記録した後にMD２のキー入力５１を用いて付加情報を入力する煩雑さが解消できる。また、付加情報用トリガ信号出力２４、付加情報用トリガ信号入力５３を伝送する信号は単なるトリガ信号であるためシステム制御部１９や５０の処理能力に対する負荷が少ない利点がある。さらにトリガ信号は比較的低速なデータであるためコネクタや内部配線に高周波信号を扱う場合のような整合や遮蔽等の配慮が不要で簡単な構成にできる利点もある。
【００２１】
次に他の実施の形態を図３に示す。同図において図１、２に示した実施の形態と同一の機能を有する部分には同一の番号を付し説明を省略する。本実施の形態では図２に示した実施の形態と同様にデジタル放送受信機１は付加情報をデジタル音声データに時間軸多重して出力する。放送されている番組内で、視聴者に対して付加情報を送るタイミングを認識させる。具体的には番組内の音声で開始、終了を伝える、デジタル放送受信機１にインジケータを設けて配信される番組データから曲の開始・終了時間に合せてインジケータで知らせる、テレビ画面にOSD（オン・スクリーン・ディスプレイ）機能で表示して知らせる等の方法がある。
【００２２】
これらの方法で付加情報が出力されることを認識した視聴者のうち付加情報の記録を希望する視聴者がMD２に設けられて付加情報を記録するためのキー入力を行う。MD２ではキー入力５１からの入力を用いて、システム制御部５０から切替部５４の出力を切替え、付加情報をシステム制御部５０に取り込み、メモリ制御部３９を通して、記録された音声データとの関連を持った情報としてメモリ４０に蓄える。この情報を光磁気ディスクに記録する方法は先に述べた従来のMD方式と同様である。
【００２３】
このように本実施の形態においても、上記の実施の形態と同様に、デジタル音声データを記録できるとともに、付加情報も自動的にMD２に入力及び記録でき、従来のようにユーザが音楽データを記録した後にMD２のキー入力５１を用いて付加情報を入力する煩雑さが解消できる。また、MD２のキー操作により切替部５４を切替えるため、デジタル放送受信機１、MD２に図１に示した付加情報出力とその入力、図２に示した付加情報用トリガ信号出力とその入力を設ける必要が無く構成が簡単になる。また、付加情報を記録するかしないかを視聴者が選択できる利点もある。
【００２４】
以上説明した実施の形態において、MD2にアナログ音声出力３２がある場合について説明してきたが、デジタルデータ出力を設けても本発明の効果に変りはなく、さらに本発明により付加情報を記録した光磁気ディスクから他の光磁気ディスクへデータを転送する際に、アナログ信号への変換が無いことでデータに劣化がないことや、付加情報を併せて転送できる利点がある。
【００２５】
本発明には広範な応用方法がある。たとえば、音声データと同時に広告用の付加情報を付帯させて放送することにより、本発明により自動的に付加情報をMDに記録したユーザに対して、そのユーザが再生するMDの表示部に広告を表示させることが可能となり、番組供給側にとっては宣伝効果が得られる。また、付加情報の配信を有料サービスにしてユーザに課金する方法もある。
【００２６】
【発明の効果】
本発明によれば、ユーザの煩雑な入力操作を低減するような使い勝手のよい受信機及び記録機器を提供することができる。
【図面の簡単な説明】
【図１】本発明の実施の形態であるデジタルデータ記録再生装置を示すブロック図である。
【図２】本発明の実施の形態であるデジタルデータ記録再生装置を示すブロック図である。
【図３】本発明の実施の形態であるデジタルデータ記録再生装置を示すブロック図である。
【符号の説明】
１…デジタル放送受信機、２…MD、１０…放送受信用アンテナ、１１…チューナ、１２…復調部、１３…伝送路誤り訂正部、１４…スクランブル解除部、１５…多重分離部、１６…MPEGデコーダ、１７…音声信号処理部、１８…映像信号処理部、１９…システム制御部、２０…デジタル音声データ出力、２１…アナログ音声信号出力、２２…映像信号出力、２３…付加情報出力、３０…デジタル音声データ入力、３１…アナログ音声入力、３２…アナログ音声出力、３３…付加情報入力、３４…サンプリングレート変換部、３５…ADコンバータ、３６…DAコンバータ、３７…エンコーダ、３８…デコーダ、３９…メモリ制御部、４０…メモリ、４１…エンコーダ、４２…デコーダ、４３…アドレスデコーダ、４４…ヘッド駆動部、４５…磁気ヘッド、４６…アンプ、４７…サーボ制御部、４８…ディスク駆動部、４９…光ピックアップ、５０…システム制御部、５１…キー入力、５２…表示部、２４…付加情報用トリガ信号出力、５３…付加情報用トリガ信号入力、５４…切替部。
【図１】
0003858495.tif 000002
【図２】
0003858495.tif 000003
【図３】
0003858495.tif 000004